(57)【要約】【課題】表示装置側から外部機器を選択する際に、ユーザの負担を軽減させる。【解決手段】プロジェクタ１００は、映像信号源１０２や、ＬＡＮ１０８経由で外部機器である複写機（ＭＦＰ）１０５Ａ〜１０５Ｚから画像データを受信し、それらをスクリーン１０１に投射表示する。プロジェクタ１００は、現在の入力がＭＦＰである場合、印刷用メニューにおいて、記憶した受信履歴にある識別子を上位にしたリストを生成する。これにより、表示中の画像の送信元である複写機の選択肢の提示優先度を変更して、印刷先リストを表示することができる。【選択図】図２
2016012793.tif 000002
【特許請求の範囲】
【請求項１】
外部機器から画像を受信する画像受信手段と、
画像を表示する表示手段と、
外部機器の選択肢を提示し、印刷先をユーザに選択させる印刷先選択手段と、
前記表示手段で表示している画像を前記印刷先選択手段で選択された外部機器に対して印刷依頼する印刷依頼手段と、
前記画像受信手段で受信した画像の表示中に、前記印刷先選択手段における該表示中の画像の送信元である外部機器の選択肢の提示優先度を変更する制御手段とを備えたことを特徴とする表示装置。
【請求項２】
前記印刷先選択手段は、印刷先とする外部機器の選択肢をカーソル移動によりユーザに選択させ、
前記制御手段は、前記画像受信手段で受信した画像の表示中に、前記印刷先選択手段におけるカーソルの初期位置を該表示中の画像の送信元である外部機器の選択肢とすることを特徴とする請求項１に記載の表示装置。
【請求項３】
前記制御手段は、前記画像受信手段で受信した画像の表示中に、前記印刷先選択手段における外部機器の選択肢の並び順を、該表示中の画像の送信元である外部機器の選択肢が上位になるように変更することを特徴とする請求項１に記載の表示装置。
【請求項４】
前記制御手段は、前記画像受信手段で受信した画像の表示中に、前記印刷先選択手段における該表示中の画像の送信元である外部機器の選択肢を強調表示することを特徴とする請求項１に記載の表示装置。
【請求項５】
前記制御手段は、前記表示手段での表示が終了した後に、変更した提示優先度を変更前の提示優先度に戻すことを特徴とする請求項１乃至４のいずれか１項に記載の表示装置。
【請求項６】
画像を受信する他の画像受信手段を更に備え、
前記制御手段は、前記表示手段での表示を、前記画像受信手段で受信した画像から、前記他の画像受信手段で受信した画像に変更した後に、変更した提示優先度を変更前の提示優先度に戻すことを特徴とする請求項１乃至４のいずれか１項に記載の表示装置。
【請求項７】
前記画像受信手段は、画像と共に該画像に紐づけられた識別子を受信し、
前記制御手段は、
前記印刷先選択手段で、表示中の画像の送信元である外部機器の選択肢が選択されたときに、前記印刷依頼手段で、該表示中の画像に紐づけられた識別子を印刷先の外部機器に送信し、
前記印刷先選択手段で、表示中の画像の送信元である外部機器の選択肢以外が選択されたときに、前記印刷依頼手段で、該表示中の画像のデータを印刷先の外部機器に送信することを特徴とする請求項１乃至６のいずれか１項に記載の表示装置。
【請求項８】
外部機器から画像を受信する画像受信手段と、画像を表示する表示手段と、外部機器の選択肢を提示し、印刷先をユーザに選択させる印刷先選択手段と、前記表示手段で表示している画像を前記印刷先選択手段で選択された外部機器に対して印刷依頼する印刷依頼手段とを備えた表示装置の制御方法であって、
前記画像受信手段で受信した画像の表示中に、前記印刷先選択手段での、該表示中の画像の送信元である外部機器の選択肢の提示優先度を変更するステップを有することを特徴とする表示装置の制御方法。
【請求項９】
外部機器から画像を受信する画像受信手段と、
画像を表示する表示手段と、
外部機器の選択肢を提示し、印刷先をユーザに選択させる印刷先選択手段と、
前記表示手段で表示している画像を前記印刷先選択手段で選択された外部機器に対して印刷依頼する印刷依頼手段と、
前記画像受信手段で受信した画像の表示中に、前記印刷先選択手段での、該表示中の画像の送信元である外部機器の選択肢の提示優先度を変更する制御手段としてコンピュータを機能させるためのプログラム。
【発明の詳細な説明】
【技術分野】
【０００１】
本発明は、外部機器と通信可能な表示装置、その制御方法及びプログラムに関する。
【背景技術】
【０００２】
近年、ＭＦＰ（マルチファンクションプリンタ）が多く用いられている。ＭＦＰとは、コピー機能、印刷機能、ドキュメントのスキャン機能等、多機能を有するプリンタ複合機である。
一方、プロジェクタのような大画面に表示可能な表示装置も多く用いられている。このような表示装置を用いることで、多人数の会議等で同じドキュメントやプレゼンテーション資料を参照することができる。
また、ＭＦＰやプロジェクタがネットワークに接続され、画像データのやり取りを行うようにすれば、より便利である。ユースケースを２つ例示する。一つ目は、紙のドキュメントしかない場合に、多人数の会議を行う場合である。この場合、紙のドキュメントをＭＦＰでスキャンし、そのデータを表示装置に送信して表示することで、大画面表示のメリットを活かすことができる。二つ目は、会議等において表示中の画像に対し、表示装置に接続された電子ペン等で書き込みを行う場合である。その資料を、会議後に参加メンバが持ち帰りたいことがある。この場合、プロジェクタから画像データと電子ペンでの書き込みデータとをＭＦＰに送って印刷するようにすれば、参加メンバは紙媒体を持ち帰ることができる。
【０００３】
ネットワークに接続されたＭＦＰとプロジェクタで画像データのやり取りを行う際の課題の一つに次のようなものがある。それは、通信相手先が多数あるとき、多数の選択肢から適切な相手を選択することがユーザにとって負担になることである。
この課題に対して、特許文献１では、プロジェクタ側でキーを取得させ、複合機側に送信し、複合機側で入力したキーと一致したキーのプロジェクタの選択肢を強調表示する技術が開示されている。
【先行技術文献】
【特許文献】
【０００４】
【特許文献１】特開２０１０−２５８７２１号公報
【発明の概要】
【発明が解決しようとする課題】
【０００５】
特許文献１では、複合機（ＭＦＰ）側からプロジェクタを選択するものである。即ち、スキャンした画像を表示する際の表示先を選択する。しかしながら、複合機側でキーを入力することは、ユーザにとって依然として負担である。
一方、プロジェクタ側からＭＦＰを選択する場合、即ち、表示した画像を印刷する際の印刷先を選択する場合も同様の問題が生じる。特許文献１の技術を応用した場合、プロジェクタ側でユーザによりキーが入力されると、そのキーと一致したキーの複合機の選択肢を強調表示することができる。しかしながら、プロジェクタ側でキーを入力することは、ユーザにとって依然として負担である。
【０００６】
本発明は上記のような点に鑑みてなされたものであり、表示装置側から外部機器を選択する際に、ユーザの負担を軽減させることを目的とする。
【課題を解決するための手段】
【０００７】
本発明の表示装置は、外部機器から画像を受信する画像受信手段と、画像を表示する表示手段と、外部機器の選択肢を提示し、印刷先をユーザに選択させる印刷先選択手段と、前記表示手段で表示している画像を前記印刷先選択手段で選択された外部機器に対して印刷依頼する印刷依頼手段と、前記画像受信手段で受信した画像の表示中に、前記印刷先選択手段での、該表示中の画像の送信元である外部機器の選択肢の提示優先度を変更する制御手段とを備える。
【発明の効果】
【０００８】
本発明によれば、表示装置側から外部機器を選択する際に、ユーザの負担を軽減させることができる。これにより、例えば紙のドキュメントを外部機器であるＭＦＰでスキャンし、そのデータを表示装置に送信して表示し、更にその表示画像を印刷する場合に、妥当な印刷先を容易に選択することが可能となる。
【図面の簡単な説明】
【０００９】
【図１】ネットワークシステムの構成を示す図である。
【図２】液晶プロジェクタの構成を示す図である。
【図３】複写機の構成を示す図である。
【図４】液晶プロジェクタの印刷メニューの画像例を示す図である。
【図５】液晶プロジェクタの動作を説明するためのフローチャートである。
【図６】液晶プロジェクタのメニュー処理の詳細を説明するためのフローチャートである。
【図７】液晶プロジェクタの印刷依頼処理の詳細を説明するためのフローチャートである。
【図８】画像のレイヤ構造を説明するための図である。
【図９】液晶プロジェクタの一般メニューの画像例を示す図である。
【発明を実施するための形態】
【００１０】
以下、添付図面を参照して、本発明の好適な実施形態について説明する。
（第１の実施形態）
本実施形態では、本発明を適用した表示装置を用いたネットワークシステムを説明する。また、表示装置の一例として液晶プロジェクタ（以下、単にプロジェクタという）を用いる例を説明する。
【００１１】
＜ネットワークシステムの構成＞
図１を参照して、本実施形態に係るネットワークシステムの構成を説明する。
１００はプロジェクタである。プロジェクタ１００は、映像信号源１０２と、ＬＡＮ（Local Area Network）１０８と、電子ペン受光機１０３とに接続されている。プロジェクタ１００は、映像信号源１０２や、ＬＡＮ１０８経由で外部機器である複写機１０５Ａ〜１０５Ｚから画像データを受信し、それらをスクリーン１０１に投射表示する。また、プロジェクタ１００は、電子ペン１０４のスクリーン１０１上の位置を電子ペン受光機１０３経由で取得し、その軌跡を画像として出力する、所謂電子黒板機能を実現している。
【００１２】
１０２は映像信号源である。映像信号源１０２としては、ＰＣ（Personal Computer）やＤＶＤプレーヤ等、映像信号を出力する機器が適用可能である。本実施形態では、映像信号源１０２からＤＶＩ（Digital Visual Interface）信号で画像データがプロジェクタ１００に入力される。
【００１３】
１０３は電子ペン受光機、１０４は電子ペンである。電子ペン１０４は、ＷＲＩＴＥボタン、ＣＬＥＡＲボタン、赤外発光部を具備する。ユーザによりＷＲＩＴＥボタンが押下されると、赤外発光部から赤外光が発光される。電子ペン受光機１０３は、２視点のカメラから構成され、赤外線を発光する電子ペン１０４のスクリーン１０１上での２次元位置を検知することが可能になっている。電子ペン受光機１０３は、検知した電子ペン１０４の位置をプロジェクタ１００に送信する。また、ユーザによりＣＬＥＡＲボタンが押下されると、赤外発光部から、ＣＬＥＡＲコマンドがＰＷＭ変調された赤外光が発光される。電子ペン受光機１０３は、ＣＬＥＡＲコマンドを検知すると、ＣＬＥＡＲコマンドをプロジェクタ１００に送信する。
【００１４】
１０５Ａ〜１０５Ｚは複数台の複写機であり、所謂ＭＦＰである。複写機１０５Ａ〜１０５Ｚは、ＬＡＮ１０８に接続されている。複写機１０５Ａ〜１０５Ｚは、書類１０６をスキャンしてデジタルデータにして保存することや、そのデジタルデータを印刷物１０７として出力することができる。また、複写機１０５Ａ〜１０５Ｚは、デジタルデータをＬＡＮ１０８経由で、ＬＡＮ１０８に接続された他の機器に送信することができる。
【００１５】
１０８はＬＡＮである。ＬＡＮ１０８としては、例えばイーサネット（登録商標）、無線ＬＡＮ等が適用可能である。ＬＡＮ１０８に接続された機器（プロジェクタ１００や複写機１０５Ａ〜Ｚ）は、相互に通信が可能である。
【００１６】
＜プロジェクタの構成＞
図２（ａ）を参照して、プロジェクタ１００の構成を説明する。
２００は映像入力部である。映像入力部２００は、映像信号源１０２からＤＶＩ信号を入力し、映像処理部２０１が処理できる形式に画像データを変換し、映像処理部２０１に出力する。
２０１は映像処理部である。映像処理部２０１は、入力された画像データに対し、画像処理を行う。
２０２はフレームバッファである。フレームバッファ２０２は、揮発性のメモリからなる。映像処理部２０１は、フレームバッファ２０２を用いて処理を行う。
【００１７】
ここで、図８を参照して、映像処理部２０１の処理を説明する。図８は、映像処理部２０１によりフレームバッファ２０２に格納される画像データを概念的に示したものである。フレームバッファ２０２に格納される画像データには上下関係があり、下から映像レイヤ８００、電子黒板用レイヤ８０１、メニュー用レイヤ８０２である。
映像レイヤ８００は、背景画像を格納するレイヤである。映像処理部２０１は、制御部２１０の指示に従い、映像入力部２００又は制御部２１０から受信した画像を映像レイヤ８００に格納する。また、映像レイヤ８００に画像を格納する際、制御部２１０の指示に従い、明るさ補正やコントラスト補正といった画質補正を行う。図８は、映像処理部２０１が、「ＡＢＣ」という画像を含む１フレームの画像を、制御部２１０から映像レイヤ８００用に指定されて受信した場合の例である。
電子黒板用レイヤ８０１は、電子ペン１０４の軌跡の画像を格納するレイヤである。映像処理部２０１は、制御部２１０の指示に従い、制御部２１０から受信した画像を電子黒板用レイヤ８０１に格納する。電子黒板用レイヤ８０１には、画素毎にα値（不透過率）を有する画像データが格納される。図８は、映像処理部２０１が、「ａｂｃｄｅｆｇ」という文字画像８０３を含む１フレームの画像を、制御部２１０から電子黒板用レイヤ８０１用に指定されて受信した場合の例である。この例では、文字画像８０３の領域のα値は１００％（不透過）であり、その他の領域のα値は０％（透過）になっている。
メニュー用レイヤ８０２は、メニュー等のＯＳＤ（On Screen Display）画像を格納するレイヤである。映像処理部２０１は、制御部２１０の指示に従い、制御部２１０から受信した画像をメニュー用レイヤ８０２に格納する。メニュー用レイヤ８０２には、画素毎にα値（不透過率）を有する画像データが格納される。図８は、映像処理部２０１が、メニュー画像８０４を含む１フレームの画像を、制御部２１０からメニュー用レイヤ８０２用に指定されて受信した場合の例である。この例では、メニュー画像８０４の領域のα値は１００％（不透過）であり、その他の領域のα値は０％（透過）になっている。
映像処理部２０１は、映像レイヤ８００、電子黒板用レイヤ８０１、メニュー用レイヤ８０２に格納した各画像を読み出しながら、α合成し、合成画像８０５を生成して、後段のパネル駆動部２０３に出力する。
【００１８】
図２（ａ）に説明を戻して、２０３はパネル駆動部である。パネル駆動部２０３は、入力された合成画像８０５のデータを、液晶パネル２０５上に像を形成させるための駆動信号に変換し、液晶パネル２０５に出力する。
２０４は光学系である。光学系２０４は、光源２０６、液晶パネル２０５、照明光学系や投射光学系を含む。光学系２０４により光源２０６からの光が液晶パネル２０５で変調されてプロジェクタ１００外部に投射され、スクリーン１０１上に映像が表示される。
２０５は液晶パネルである。液晶パネル２０５上には、パネル駆動部２０３で生成された駆動信号により像が形成される。液晶パネル２０５としては、透過型液晶パネルや反射型液晶パネルを用いることができる。
２０６は光源である。光源２０６としては、高圧水銀ランプやハロゲンランプ、レーザ光源を用いることができる。
２０７は通信部である。制御部２１０は、通信部２０７を介して、ＬＡＮ１０８経由で複写機１０５Ａ〜１０５Ｚと通信可能である。
２０８は電子ペン信号受信部である。制御部２１０は、電子ペン信号受信部２０８を介して、電子ペン受光機１０３からの信号を受信することができる。
【００１９】
２０９は操作部である。操作部２０９は、プロジェクタ１００の筺体上に設置された釦群から構成され、近傍にいるユーザにプロジェクタ１００に対する指示を入力してもらい、制御部２１０に通知するためのものである。
ここで、図２（ｂ）を参照して、操作部２０９を構成する釦群を説明する。上釦２５０、左釦２５１、下釦２５２、右釦２５３は、夫々メニューを操作するため、特にカーソル移動のための釦である。決定釦２５４も同様にメニュー操作のための釦であり、カーソルがあたっている項目に対するユーザの決定の意思を伝える。メニュー釦２５５は、メニュー表示・非表示をトグルするための釦である。印刷釦２５６は、表示されている画像を印刷指示するための釦である。電源釦２５７は、プロジェクタ１００の起動と停止を指示するための釦である。ＤＶＩ釦２５８、ＭＦＰ釦２５９は、夫々映像入力部２００に入力される画像データを表示するか、ＬＡＮ１０８経由で入力される画像データを表示するかを切り替えるための釦である。
【００２０】
図２（ａ）に説明を戻して、２１０は制御部である。制御部２１０は、マイクロコンピュータから構成され、プロジェクタ１００全体を制御する。
２１１はＲＯＭである。ＲＯＭ２１１は、不揮発性のメモリであり、制御部２１０が動作するためのプログラムコードやデータが格納されている。また、ＲＯＭ２１１は、プロジェクタ１００が動作するために必要なデータを記憶する。
２１２はＲＡＭである。ＲＡＭ２１２は、揮発性のメモリであり、制御部２１０が動作するためのワークメモリとして使用される。
２１３はバスである。バス２１３を介し、制御部２１０は、映像入力部２００、映像処理部２０１、パネル駆動部２０３、液晶パネル２０５、光源２０６、通信部２０７、電子ペン信号受信部２０８、操作部２０９、ＲＯＭ２１１、ＲＡＭ２１２と通信可能である。
【００２１】
＜複写機の構成＞
図３を参照して、複写機１０５Ａ〜１０５Ｚの構成を説明する。なお、以下では、符号１０５を付して説明することもある。
３００はスキャン部である。スキャン部３００は、紙の書類を読み取るための機構であり、紙を照らす光源、紙からの反射光を電子化する光電変換部から構成される。
３０１はスキャン制御部である。スキャン制御部３０１は、制御部３１２の指示に従い、スキャン部３００を制御し、スキャン結果であるデジタルデータを取得して制御部３１２に通知する。
３０２は紙送り部である。紙送り部３０２は、紙を搬送するメカ機構である。
３０３は紙送り制御部である。紙送り制御部３０３は、制御部３１２の指示に従い、紙送り部３０２を制御する。
３０４は印刷部である。印刷部３０４は、紙送り部３０２により搬送された紙に印刷を行う機構である。
３０５は印刷制御部である。印刷制御部３０５は、制御部３１２から画像データを受信し、その画像を印刷するように印刷部３０４を制御する。
【００２２】
３０６は画像処理部である。画像処理部３０６は、制御部３１２の指示に従い、指定された画像データにコントラスト補正等の画像処理を施す。
３０７はハードディスクユニットである。ハードディスクユニット３０７は、制御部３１２の指示に従い、データを保存したり、消去したりする。制御部３１２により保存指示されるデータの例としては、スキャン制御部３０１で得られたデジタルデータ等がある。
３０８は通信部である。制御部３１２は、通信部３０８を介して、ＬＡＮ１０８経由でプロジェクタ１００や他の複写機に通信が可能である。
３０９はパネル駆動部である。パネル駆動部３０９は、制御部３１２から操作ＵＩの画像を受信し、液晶パネル３１０を駆動する。
３１０は液晶パネルである。液晶パネル３１０は、複写機１０５の筺体上に設置され、ユーザに対し、操作のための情報表示や状態表示を行う。
【００２３】
３１１は操作部である。操作部３１１は、複写機１０５の筺体上に設置された釦群から構成され、近傍にいるユーザに複写機１０５に対する指示を入力してもらい、制御部３１２に通知するためのものである。操作部３１１を構成する釦としては、何れも不図示の、起動とシャットダウンを行うための釦、スキャンを開始するための釦、コピーを開始するための釦、スキャンデータをプロジェクタ１００等の外部に送信するための釦、その送信先を入力するための釦がある。
３１２は制御部である。制御部３１２は、マイクロコンピュータから構成され、複写機１０５全体を制御する。
３１３はＲＯＭである。ＲＯＭ３１３は、不揮発性のメモリであり、制御部３１２が動作するためのプログラムコードやデータが格納されている。また、ＲＯＭ３１３は、複写機１０５が動作するために必要なデータを記憶する。
３１４はＲＡＭである。ＲＡＭ３１４は、揮発性のメモリであり、制御部３１２が動作するためのワークメモリとして使用される。
３１５はバスである。バス３１５を介し、制御部３１２は、スキャン制御部３０１、紙送り制御部３０３、印刷制御部３０５、画像処理部３０６、ハードディスクユニット３０７、通信部３０８、パネル駆動部３０９、操作部３１１、ＲＯＭ３１３、ＲＡＭ３１４と通信可能である。
【００２４】
＜プロジェクタの動作＞
次に、図５を参照して、プロジェクタ１００の動作を説明する。
プロジェクタ１００に不図示のＡＣケーブルが接続されると、制御部２１０、バス２１３、ＲＡＭ２１２、ＲＯＭ２１１、操作部２０９に電源が供給され、制御部２１０が起動し、フローが開始する。
ステップＳ５００で、制御部２１０は、ユーザによる電源釦２５７の押下を確認する。電源釦２５７が押下されるまで、ステップＳ５００を繰り返す。
ステップＳ５００で電源釦２５７が押下されたことを検出すると、ステップＳ５０１で、制御部２１０は、プロジェクタ１００全体に電源を供給する。併せて、制御部２１０は、各部の初期化制御を行う。これにより、画像が投射表示される。この段階では、黒画像が投射表示される。
【００２５】
ステップＳ５０２で、制御部２１０は、通信部２０７を介してＬＡＮ１０８に対し、複写機の存在の問い合わせをブロードキャストする。ＬＡＮ１０８に接続された複写機は、ブロードキャストに対し、自らのアドレスと識別子を返答するので、制御部２１０は通信部２０７経由でそれらを受信する。制御部２１０は、受信した複写機のアドレスと識別子との組み合わせをＲＡＭ２１２に記憶する。具体例としては、以下のような組み合わせである。
アドレス：１９２．１６８．１０．１  識別子：複写機Ａ
アドレス：１９２．１６８．１０．２  識別子：複写機Ｂ
・・・
アドレス：１９２．１６８．１０．１４  識別子：複写機Ｎ
・・・
アドレス：１９２．１６８．１０．２６  識別子：複写機Ｚ
【００２６】
ステップＳ５０３で、制御部２１０は、入力をＤＶＩに設定する。具体的には、制御部２１０は、映像処理部２０１に対し、映像入力部２００からの画像データを映像レイヤ８００に取り込むように指示する。これにより、映像信号源１０２からのＤＶＩ信号の画像データが投射表示される。また、制御部２１０は、併せて現在の入力が「ＤＶＩ」であることをＲＡＭ２１２に記憶する。
ステップＳ５０４で、制御部２１０は、現在の入力が「ＭＦＰ」であり、且つ、複写機１０５Ａ〜１０５Ｚのいずれかから画像データが通信部２０７に到着しているか否かを判定する。判定が真であれば、ステップＳ５０５に遷移する。判定が偽であれば、ステップＳ５０７に遷移する。
【００２７】
ステップＳ５０４での判定が真である場合、ステップＳ５０５で、制御部２１０は、通信部２０７に到着している画像データを受け取り、映像処理部２０１に対し、そのデータを映像レイヤ８００に取り込むように指示する。これにより、複写機１０５Ａ〜１０５Ｚのいずれかから受信した画像データが投射表示される。
ステップＳ５０６で、制御部２１０は、ステップＳ５０５で表示された画像データの送信元である複写機の識別子を、ＲＡＭ２１２の受信履歴に追加記憶する。その後、ステップＳ５０７に遷移する。
【００２８】
ステップＳ５０４での判定が偽である場合、又はステップＳ５０６の後に、ステップＳ５０７で、制御部２１０は、電子ペン受光機１０３から電子ペン１０４の軌跡データ、又はＣＬＥＡＲコマンドが電子ペン信号受信部２０８に到着しているか否かを判定する。判定が真であれば、ステップＳ５０８に遷移する。判定が偽であれば、ステップＳ５０９に遷移する。
ステップＳ５０７での判定が真である場合、ステップＳ５０８で、制御部２１０は、電子ペン信号受信部２０８に到着している軌跡データ、又はＣＬＥＡＲコマンドを受け取る。制御部２１０は、受け取ったのが軌跡データであれば、それを画像データに変換し、映像処理部２０１に対し、その画像データを電子黒板用レイヤ８０１に取り込むように指示する。これにより、電子ペン１０４の軌跡の画像データが投射表示される。一方、受け取ったのがＣＬＥＡＲコマンドであれば、全透過の画像データを生成し、映像処理部２０１に対し、その画像データを電子黒板用レイヤ８０１に取り込むように指示する。これにより、電子ペン１０４の軌跡の画像データの表示が消去される。その後、ステップＳ５０９に遷移する。
【００２９】
ステップＳ５０７での判定が偽である場合、又はステップＳ５０８の後に、ステップＳ５０９で、制御部２１０は、操作部２０９に対するユーザの操作があるか否かを判定する。
ステップＳ５０９で操作部２０９に対するユーザの操作がないと判定した場合、ステップＳ５０４に遷移する。
ステップＳ５０９で電源釦２５７が押下されたと判定した場合、ステップＳ５１０に遷移する。ステップＳ５１０で、制御部２１０は、制御部２１０、バス２１３、ＲＡＭ２１２、ＲＯＭ２１１、操作部２０９以外の電源を遮断する。これにより、投射表示が終了する。また、制御部２１０は、ＲＡＭ２１２上の受信履歴をクリアする。その後、ステップＳ５００に遷移する。
【００３０】
ステップＳ５０９でＤＶＩ釦２５８が押下されたと判定した場合、ステップＳ５１１に遷移する。ステップＳ５１１で、制御部２１０は、入力をＤＶＩに設定する。この処理は、ステップＳ５０３の処理と同等である。その後、ステップＳ５０４に遷移する。
【００３１】
ステップＳ５０９でＭＦＰ釦２５９が押下されたと判定した場合、ステップＳ５１２に遷移する。ステップＳ５１２で、制御部２１０は、入力をＭＦＰに設定する。具体的には、映像処理部２０１に対し、映像入力部２００からの画像データを映像レイヤ８００に取り込まないように指示する。更に、黒画像の画像データを映像処理部２０１に対し、映像レイヤ８００に取り込むように指示する。併せて、制御部２１０は、現在の入力が「ＤＶＩ」であることをＲＡＭ２１２に記憶する。これにより、現段階では黒画像が投射表示され、複写機１０５Ａ〜１０５Ｚのいずれかから画像データの受信を待つことになる。なお、画像データが受信された場合、ステップＳ５０４の判定が真になり、ステップＳ５０５でその画像が表示されるのである。その後、ステップＳ５０４に遷移する。
【００３２】
ステップＳ５０９でメニュー釦２５５が押下されたと判定した場合、ステップＳ５１３に遷移する。ステップＳ５１３で、制御部２１０は、図９に例示する一般メニューを表示し、ユーザに対し、プロジェクタ１００の設定値の入力を受け付ける。更に、制御部２１０は、入力された設定値に基づき、プロジェクタ１００の各部に対して設定を適用する。この処理の詳細は後述する。その後、ステップＳ５０４に遷移する。
【００３３】
ステップＳ５０９で印刷釦２５６が押下されたと判定した場合、ステップＳ５１４に遷移する。ステップＳ５１４で、制御部２１０は、印刷用メニューを表示し、ユーザに対し印刷先を指定させ、その印刷先に印刷依頼を送信する。この処理の詳細は後述する。その後、ステップＳ５０４に遷移する。
【００３４】
図６（ａ）を参照して、ステップＳ５１３の一般メニュー処理の詳細を説明する。
ステップＳ６００で、制御部２１０は、一般メニューの画像を作成する。図９に一般メニューの画像例を示す。一般メニュー９００は、３つの設定項目、具体的には明るさ補正設定項目９０１、コントラスト補正設定項目９０２、デフォルト設定項目９０３を有する。制御部２１０は、ＲＯＭ２１１に記憶されている各設定値を読み出して、メニュー上に画像として作成する。図９の例では、ＲＯＭ２１１に記憶されている設定値が次のようになっている。明るさ補正設定項目９０１に対応する設定値は数値「＋５」、コントラスト補正設定項目９０２に対応する設定値は数値「−１」、デフォルト設定項目９０３に対応する設定値は識別子「複写機Ｘ」である。また、各設定項目のうち、着目すべき設定項目を選択するためのカーソルを表示する。この段階では、初期位置として、制御部２１０は、明るさ補正設定項目９０１にカーソルを表示している。一般メニュー９００の画像を作成すると、制御部２１０は、映像処理部２０１に対して、その画像をメニュー用レイヤ８０２に取り込むように指示する。
【００３５】
ステップＳ６０１で、制御部２１０は、操作部２０９に対するユーザの操作があるか否かを判定する。
ステップＳ６０１でメニュー釦２５５が押下されたと判定した場合、ステップＳ６０４に遷移する。
【００３６】
ステップＳ６０１で決定釦２５４が押下されたと判定した場合、ステップＳ６０２に遷移する。ステップＳ６０２で、制御部２１０は、ユーザが明るさ補正設定項目９０１、コントラスト補正設定項目９０２、デフォルト設定項目９０３に設定した値を、夫々ＲＯＭ２１１に保存した上で、プロジェクタ１００各部に適用する。具体的には、制御部２１０は、映像処理部２０１に対して、明るさ補正設定項目９０１、コントラスト補正設定項目９０２で設定された各補正値に基づいた画像処理を、映像レイヤ８００に画像を取り込む際に適用するように指示する。その後、ステップＳ６０４に遷移する。
【００３７】
ステップＳ６０１で上釦２５０、下釦２５２、右釦２５３、左釦２５１の何れかが押下されたと判定した場合、ステップＳ６０３に遷移する。ステップＳ６０３で、制御部２１０は、押下された釦に応じて、一般メニュー９００のカーソルの上下移動、又はメニュー上に表示される設定値の変更を行う。具体的には、上釦２５０が押下された場合、カーソルを上に移動させる。下釦２５２が押下された場合、カーソルを下に移動させる。左釦２５１が押下された場合、カーソルのあたっている設定項目のメニュー上の設定値をデクリメントさせる。即ち、明るさ補正設定項目９０１、コントラスト補正設定項目９０２に関しては、設定値を減少させる。デフォルト設定項目９０３に関しては、予め複写機の識別子をリスト化しておいた上で、リストの前の識別子に変更させる。右釦２５３が押下された場合、カーソルのあたっている設定項目のメニュー上の設定値をインクリメントさせる。即ち、明るさ補正設定項目９０１、コントラスト補正設定項目９０２に関しては、設定値を増加させる。デフォルト設定項目９０３に関しては、予め複写機の識別子をリスト化しておいた上で、リストの次の識別子に変更させる。その後、ステップＳ６０１に遷移する。
ステップＳ６０１で操作部２０９に対して操作が無い、又はその他の釦が押下されたと判定した場合、ステップＳ６０１に遷移する。
【００３８】
ステップＳ６０４で、制御部２１０は、一般メニューを消去する。具体的には、全透過の画像データを生成し、映像処理部２０１に対し、その画像データをメニュー用レイヤ８０２に取り込むように指示する。その後、本処理は終了となる。
【００３９】
図６（ｂ）を参照して、ステップＳ５１４の印刷用メニュー処理の詳細を説明する。
ステップＳ６５０で、制御部２１０は、現在の入力がＤＶＩであるか、ＭＦＰであるかをＲＡＭ２１２に記憶した値を参照して判定する。ＤＶＩであれば、ステップＳ６５１に遷移する。ＭＦＰであれば、ステップＳ６５２に遷移する。
【００４０】
ステップＳ６５０で現在の入力がＤＶＩであると判定した場合、ステップＳ６５１で、制御部２１０は、印刷用メニューの画像を作成する。制御部２１０は、映像処理部２０１に対して、印刷用メニューの画像をメニュー用レイヤ８０２に取り込むように指示する。制御部２１０は、内部的にステップＳ５０２で得た全ての識別子からなるリストを生成する。制御部２１０は、そのリストについて、ステップＳ６０２でＲＯＭ２１１に記憶したデフォルト設定項目９０３の設定値の識別子を先頭とし、残りの識別子を辞書順になるようにソートする。制御部２１０は、そのリストを印刷メニューに埋め込む。
図４（ａ）の印刷メニュー４００ａは、ステップＳ６５１での印刷メニューの例である。この例では、ＲＯＭ２１１に記憶されたデフォルト設定項目９０３の設定値は「複写機Ｘ」である。また、生成したリストのうち、メニュー欄の行数に収まる範囲が画像になっている。メニュー欄に収まらない識別子は、下釦２５２、上釦２５０の押下によるカーソル移動にて表示範囲がスクロールすることで画像化対象となる。また、初期位置では、制御部２１０は、リストの最初の選択肢にカーソル位置を配置し、デフォルトの選択肢にする。上記の例では、デフォルトの選択肢は、リストの先頭である「複写機Ｘ」である。その後、ステップＳ６５３に遷移する。
【００４１】
ステップＳ６５０で現在の入力がＭＦＰであると判定した場合、ステップＳ６５２で、制御部２１０は、印刷用メニューの画像を作成する。制御部２１０は、映像処理部２０１に対して、印刷用メニューの画像をメニュー用レイヤ８０２に取り込むように指示する。制御部２１０は、内部的にステップＳ５０２で得た全ての識別子について、ステップＳ５０６で記憶した受信履歴にある識別子を上位にしたリストを生成する。その他の識別子は、ステップＳ６５１と同じルールでソートされる。
図４（ｂ）に示す印刷メニュー４００ｂは、ステップＳ６５２での印刷メニューの例である。これは、受信履歴に「複写機Ｎ」が格納された場合の例である。また、制御部２１０は、受信履歴に複数の識別子が存在する場合、受信時刻が新しいものが上位になるように、それらをソートする。図４（ｃ）の印刷メニュー４００ｃは、ステップＳ６５２での印刷メニューの別の例である。これは、受信履歴に「複写機Ｐ」、「複写機Ｑ」、「複写機Ｎ」（後になるほど新しい）が格納された場合の例である。また、初期位置では、制御部２１０は、リストの最初の選択肢にカーソル位置を配置し、デフォルトの選択肢にする。上記の例では、受信履歴の最新の識別子である「複写機Ｎ」である。ステップＳ６５１と同様にメニュー欄の行数に収まらない選択肢は、下へのカーソル移動により、順次表示される。その後、ステップＳ６５３に遷移する。
【００４２】
ステップＳ６５３で、制御部２１０は、操作部２０９に対するユーザの操作があるか否かを判定する。
ステップＳ６５３でメニュー釦２５５又は印刷釦２５６が押下されたと判定した場合、ステップＳ６５６に遷移する。
【００４３】
ステップＳ６５３で決定釦２５４が押下されたと判定した場合、ステップＳ６５４に遷移する。ステップＳ６５４で、制御部２１０は、印刷用メニューのカーソル行にある識別子の複写機に印刷依頼を送信する。この処理の詳細は後述する。その後、ステップＳ６５６に遷移する。
【００４４】
ステップＳ６５３で上釦２５０又は下釦２５２が押下されたと判定した場合、ステップＳ６５５に遷移する。ステップＳ６５５で、制御部２１０は、印刷用メニューのカーソルを、押下された釦に応じて、上又は下に移動させる。移動後の印刷用メニュー画像を生成すると、映像処理部２０１に対して、その画像をメニュー用レイヤ８０２に取り込むように指示する。また、メニュー欄の一番下の行にある状態で、更にカーソル行を下に移動させた場合は、メニューの表示範囲を下にスクロールさせる。同様に、メニュー欄の一番上の行にある状態で、更にカーソル行を上に移動させた場合は、メニューの表示範囲を上にスクロールさせる。その後、ステップＳ６５３に遷移する。
ステップＳ６５３で操作部２０９に対して操作が無い、又はその他の釦が押下されたと判定した場合、ステップＳ６５３に遷移する。
【００４５】
ステップＳ６５６で、制御部２１０は、印刷用メニューを消去する。具体的には、全透過の画像データを生成し、映像処理部２０１に対し、その画像データをメニュー用レイヤ８０２に取り込むように指示する。その後、本処理は終了となる。
【００４６】
次に、図７（ａ）を参照して、ステップＳ６５４の印刷依頼処理の詳細を説明する。
ステップＳ７０４で、制御部２１０は、映像処理部２０１に、電子黒板用レイヤ８０１の画像データと映像レイヤ８００の画像データを取得するように指示を出す。続いて、制御部２１０は、先ほど決定した識別子の複写機のアドレスに対して、通信部２０７を介して、印刷依頼のコマンドと共に２つの画像データを送信する。これにより、それらを受信した複写機により、電子黒板用レイヤ８０１と映像レイヤ８００の合成した画像が印刷される。その後、本処理は終了となる。
【００４７】
以上のようにすれば、表示中の画像の送信元である複写機の選択肢の提示優先度を変更して、印刷先リストを表示することができる。
ここで、複写機で書類をスキャンし、その画像データを、液晶プロジェクタに代表される表示機器に送信して表示させ、更にその表示中の画像を印刷することを考える。この場合、書類をスキャンする人物と印刷する人物は同一であるか、又は同一会議に参加している人物であることが殆どである。したがって、書類をスキャンした複写機は、少なくとも会議の参加者にとって所在が明らかであり、使用し易い環境にある可能性が高い。故に、スキャンに用いた複写機は印刷先の第一候補にすることは妥当性がある。
一方、複写機由来でない信号を表示していた場合、複写機でのスキャンと、その表示装置を用いた会議に関連性がない可能性がある。故に、複写機を印刷先の第一候補にするより、既存の優先度のリストから選択する方に妥当性がある。本実施形態では、デフォルト設定項目９０３で通常使用の印刷先が予め設定されているので、それを第一候補にするのがよい。
上記のようにすることにより、多くの場合、ユーザは第一候補の選択のみをすればよい。これにより、ユーザの印刷先を選択する上での負荷を軽減することが可能になる。
【００４８】
以下、変形例を説明する。
ステップＳ６５２を変形しても、本発明を実施することができる。
第一の変形として、識別子のリストのソーティングをステップＳ６５１と同様にして、デフォルトの選択肢を、最新の受信履歴の識別子の選択肢にしてもよい。図４（ｄ）に示す印刷メニュー４００ｄは、その場合の印刷メニューの例である。これは、受信履歴の最新が「複写機Ｎ」であった場合の例である。この変形であっても、ユーザにとって妥当な選択肢を容易に選択できるという効果がある。
【００４９】
第二の変形として、識別子のリストのソーティングをステップＳ６５１と同様にして、受信履歴にある識別子の選択肢の表示を強調してもよい。図４（ｅ）に示す印刷メニュー４００ｅが、その場合の印刷メニューの例である。これは、受信履歴が「複写機Ｐ」、「複写機Ｎ」（後になるほど新しい）であった場合の例である。この例では、デフォルトの選択肢がリストの先頭の「複写機Ｘ」である。しかし、下釦２５２を複数回押下しカーソルを下に移動していくと、受信履歴にある識別子に、他の選択肢にはない「送信元」という文字列が付加されて強調表示されている。この変形であっても、ユーザにとって妥当な選択肢を容易に選択できるという効果がある。
【００５０】
第三の変形として、ソーティングとデフォルトの選択肢の設定はそのままに、更に受信履歴にある識別子の選択肢の表示を強調してもよい。図４（ｆ）に示す印刷メニュー４００ｆが、その場合の印刷メニューの例である。これは、受信履歴が「複写機Ｐ」、「複写機Ｑ」、「複写機Ｎ」（後になるほど新しい）であった場合の例である。夫々、他の選択肢にはない「送信元」という文字列が付加されて強調表示されている。この変形であっても、ユーザにとって妥当な選択肢を容易に選択できるという効果がある。
【００５１】
なお、次のように受信履歴のクリアのタイミングを変形しても、本発明を実施することができる。ステップＳ５１０を、そこで受信履歴のクリアをしないように変形する。更に、ステップＳ５１１を、制御部２１０がＤＶＩ設定を行うとともに、受信履歴をクリアするように変形する。このようにすれば、頻繁に受信履歴がクリアされることになる。それにより、或る会議において、別の会議の際のスキャン元である複写機を表示しないようにできる。この場合もユーザの負荷を軽減することができる。
【００５２】
（第２の実施形態）
第１の実施形態を以下のように変形しても、本発明を適用することができる。
通信部２０７を、複写機から画像データと共にその画像データを識別する画像ＩＤも受信するようにする。画像ＩＤは、制御部３１２がスキャンした画像のデジタルデータ毎にユニークな数値として発行される。
そして、ステップＳ５０５に対し、制御部２１０がその画像ＩＤをＲＡＭ２１２に記憶する、という処理を追加する。
また、ステップＳ６５４のフローチャートを、図７（ｂ）に変更する。
【００５３】
図７（ｂ）を参照して、ステップＳ６５４の印刷依頼処理の詳細を説明する。
ステップＳ７００で、制御部２１０は、入力がＭＦＰであるか否かを判定する。判定が真であれば、ステップＳ７０１に遷移する。判定が偽であれば、ステップＳ７０４に遷移する。
ステップＳ７００での判定が真である場合、ステップＳ７０１で、制御部２１０は、印刷先として選択された複写機に対し、表示中の画像を保持しているか、通信部２０７経由で問い合わせを行う。この問い合わせは、表示中の画像の画像ＩＤをＲＡＭ２１２から読み、その画像ＩＤに紐づけられた画像を保持しているかのコマンドを発行することで行われる。
ステップＳ７０２で、制御部２１０は、ステップＳ７０１での問い合わせの返答を判定する。画像を保持しているとの返答を受けた場合、ステップＳ７０３に遷移する。画像を保持していないとの返答を受けた場合、ステップＳ７０４に遷移する。
ステップＳ７０２で画像が保持されている場合、ステップＳ７０３で、制御部２１０は、映像処理部２０１に対し、電子黒板用レイヤ８０１の画像データを取得するように指示を出す。続いて、制御部２１０は、先ほど決定した識別子の複写機のアドレスに対して、通信部２０７を介して、印刷依頼のコマンドと共に画像ＩＤと電子黒板用レイヤ８０１の画像データを送信する。これにより、それらを受信した複写機により、電子黒板用レイヤ８０１の画像と画像ＩＤに紐づけられた（表示中の）画像との合成した画像が印刷される。その後、本処理は終了となる。
一方、ステップＳ７０４であるが、これは第１の実施形態と同様である。その後、本処理は終了となる。
【００５４】
以上述べた実施形態においては、通信部２０７が本発明でいう画像受信手段として機能する。また、液晶パネル２０５が本発明でいう表示手段として機能する。また、制御部２１０の制御下で印刷メニュー４００ｂ〜４００ｆを表示する機能が本発明でいう印刷先選択手段として機能する。また、制御部２１０の制御下で通信部２０７を介して印刷先に印刷依頼を送信する機能が本発明でいう印刷依頼手段として機能する。また、制御部２１０が本発明でいう制御手段として機能する。また、映像入力部２００が本発明でいう他の画像受信手段として機能する。
【００５５】
以上のようにすれば、第１の実施形態と同様に、ユーザの印刷先を選択する上での負荷を軽減することが可能になる。それに加え、映像レイヤ８００の画像データの送信を不要とすることができるので、ネットワーク帯域の消費を低減することも可能になる。
【００５６】
以上、本発明を種々の実施形態と共に説明したが、本発明はこれらの実施形態にのみ限定されるものではなく、本発明の範囲内で変更等が可能である。本発明は、液晶プロジェクタに限らず、表示機能を持ち、ネットワーク通信機能を搭載する表示装置であれば、どのような機器であっても適用可能である。例えばＴＶ受像機、ＰＣモニタ、スマートフォン等にも本発明は適用可能である。
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５７】
１００：液晶プロジェクタ、１０２：映像信号源、１０３：電子ペン受光機、１０４：電子ペン、１０５Ａ〜１０５Ｚ：複写機、１０８：ＬＡＮ、２００：映像入力部、２０１：映像処理部、２０２：フレームバッファ、２０３：パネル駆動部、２０４：光学系、２０５：液晶パネル、２０６：光源、２０７：通信部、２０８：電子ペン信号受信部、２０９：操作部、２１０：制御部、２１１：ＲＯＭ、２１２：ＲＡＭ、２１３：バス
【図１】
2016012793.tif 000003
【図２】
2016012793.tif 000004
【図３】
2016012793.tif 000005
【図４】
2016012793.tif 000006
【図５】
2016012793.tif 000007
【図６】
2016012793.tif 000008
【図７】
2016012793.tif 000009
【図８】
2016012793.tif 000010
【図９】
2016012793.tif 000011